(57)【要約】【課題】バースト調光のターンオン時にソフトスタートを容易に実現できる放電管点灯装置。【解決手段】直流電源の直流電圧をスイッチング素子Qp1,Qn1のオン／オフ動作により交流電圧に変換するスイッチ回路と、スイッチ回路に１次巻線Pが接続され２次巻線Sから交流電圧を出力するトランスTの２次巻線に接続される放電管3と、放電管に流れる交流出力電流を検出する電流検出回路D1,D2,R3の検出値と所定の基準電圧との誤差信号を出力する誤差増幅器15と、誤差増幅器からの誤差信号に応じて各スイッチング素子をオン／オフ動作させる制御信号を生成し交流出力電流を所定値に制御する制御回路16a,16bと、各スイッチ素子がオン／オフ動作を開始する時にバースト調光信号の変化を遅らせる時分割信号又はバースト調光信号に所定の傾斜を持った信号を重畳させた時分割信号を生成する時分割信号回路13,C6とを備え、誤差増幅器は誤差信号を時分割信号に応じて変化させる。【選択図】図１
2009123660.tif 000002
【特許請求の範囲】
【請求項１】
直流電源の直流電圧を１以上のスイッチング素子のオン／オフ動作により交流電圧に変換するスイッチ回路と、
前記スイッチ回路に１次巻線が接続され２次巻線から交流電圧を出力するトランスと、
前記トランスの２次巻線に接続される放電管と、
前記放電管に流れる交流出力電流を検出する電流検出回路と、
前記電流検出回路の検出値と所定の基準電圧との誤差電圧を誤差信号として出力する誤差増幅器と、
前記誤差増幅器からの誤差信号に応じて前記各スイッチング素子をオン／オフ動作させる制御信号を生成し該制御信号により前記交流出力電流を所定値に制御する制御回路と、
前記各スイッチ素子がオン／オフ動作を開始する時にバースト調光信号の変化を遅らせる時分割信号又は前記バースト調光信号に所定の傾斜を持った信号を重畳させた時分割信号を生成する時分割信号回路とを備え、
前記誤差増幅器は、前記誤差信号を前記時分割信号回路からの時分割信号に応じて変化させることを特徴とする放電管点灯装置。
【請求項２】
前記時分割信号回路は、前記時分割信号の傾斜を決定する傾斜決定コンデンサと、
前記バースト調光信号が出力オフを指示するときに所定の電流で前記傾斜決定コンデンサを充電する充電回路と、
前記バースト調光信号が出力オンを指示するときに所定の電流で前記傾斜決定コンデンサを放電する放電回路とを有し、
前記時分割信号は、前記誤差増幅器の反転入力端子に入力されることを特徴とする請求項１記載の放電管点灯装置。
【請求項３】
前記時分割信号回路は、前記時分割信号の傾斜を決定する傾斜決定コンデンサと、
前記バースト調光信号が出力オフを指示するときに所定の電流で前記傾斜決定コンデンサを放電する放電回路と、
前記バースト調光信号が出力オンを指示するときに所定の電流で前記傾斜決定コンデンサを充電する充電回路とを有し、
前記時分割信号は、前記誤差増幅器の非反転入力端子に入力されることを特徴とする請求項１記載の放電管点灯装置。
【請求項４】
前記誤差増幅器は、直列接続された複数の抵抗からなる分圧器により前記基準電圧を生成し、
前記傾斜決定コンデンサは、前記基準電圧を生成する前記分圧器に接続され、
前記傾斜作成回路は、前記バースト調光信号が出力オフを指示すると前記傾斜決定コンデンサを放電する放電回路からなることを特徴とする請求項１記載の放電管点灯装置。
【請求項５】
前記制御回路は、三角波発生器と、
前記三角波発生器からの三角波信号と前記誤差増幅器からの誤差信号と前記時分割信号回路からの時分割信号とを比較することにより、前記各スイッチング素子をオン／オフ動作させるＰＷＭ信号を生成する比較器と、
を有することを特徴とする請求項１記載の放電管点灯装置。
【発明の詳細な説明】
【技術分野】
【０００１】
本発明は、液晶表示機器等に使用される放電管を点灯させる放電管点灯装置に関する。
【背景技術】
【０００２】
従来の放電管点灯装置として、パルス信号からなるバースト調光信号を用いて、放電管の輝度を所定の輝度に制御する装置が知られている。この放電管点灯装置は、バースト調光信号に応じてスイッチング素子であるＰ型ＦＥＴとＮ型ＦＥＴとのオン／オフ動作を開始／停止させて、放電管の調光を行うものである。
【０００３】
また、従来のこの種の放電管点灯装置におけるバースト調光時のソフトスタートの一例として特許文献１に記載されたものが知られている。特許文献１に記載された放電管点灯装置は、二次巻線が負荷に接続される変圧器の一次巻線に半導体スイッチ回路を設け、半導体スイッチ回路の各スイッチをＰＷＭ制御して定電流制御するインバータにおいて、間欠動作による制御を併用する。
【０００４】
間欠動作の制御は、バースト調光による間欠動作のオフ時に、ＰＷＭ制御の誤差信号をゼロにする。また、間欠動作のオフ時及びオン時に、ＰＷＭ制御の誤差信号を、帰還回路のコンデンサ電荷を充放電させることにより緩やかに減少し、あるいは増加させる。これにより、間欠動作のオン時、オフ時ともＰＷＭによる定電流制御をスロースタート、スローエンドに行う。
【特許文献１】特開２００４−１６６４４６号公報（図３）
【発明の開示】
【発明が解決しようとする課題】
【０００５】
しかしながら、特許文献１に記載された放電管点灯装置では、誤差増幅回路の位相補償を行なうコンデンサと、ソフトスタートの傾斜を決定するコンデンサとが共通に設けられている（特許文献１の図３に示すコンデンサ１３６）。
【０００６】
このため、バースト調光のターンオン時にソフトスタートの傾斜をコンデンサにより緩やかにすると、負荷に流れる電流の変化に対するフィードバック制御ループ系の応答が遅くなる。その結果、負荷や入力の急変時に、放電管の輝度が顕著に変化し、場合によっては、スイッチング素子や変圧器が破壊してしまう。
【０００７】
これに対して、負荷に流れる電流の変化に対するフィードバック制御ループ系の応答をコンデンサにより速くすると、バースト調光信号によってスイッチ回路がオンオフ動作を開始するとき、即ち、バースト調光のターンオン時に、ソフトスタートの傾斜が急峻となる。その結果、バースト調光のターンオン時に、放電管電流にサージが発生し、これにより画面ノイズが発生し、場合によっては放電管の信頼性が低下する。
【０００８】
本発明は、バースト調光のターンオン時に、ソフトスタートを容易に実現できる放電管点灯装置を提供することにある。
【課題を解決するための手段】
【０００９】
前記課題を解決するために、請求項１の発明は、直流電源の直流電圧を１以上のスイッチング素子のオン／オフ動作により交流電圧に変換するスイッチ回路と、前記スイッチ回路に１次巻線が接続され２次巻線から交流電圧を出力するトランスと、前記トランスの２次巻線に接続される放電管と、前記放電管に流れる交流出力電流を検出する電流検出回路と、前記電流検出回路の検出値と所定の基準電圧との誤差電圧を誤差信号として出力する誤差増幅器と、前記誤差増幅器からの誤差信号に応じて前記各スイッチング素子をオン／オフ動作させる制御信号を生成し該制御信号により前記交流出力電流を所定値に制御する制御回路と、前記各スイッチ素子がオン／オフ動作を開始する時にバースト調光信号の変化を遅らせる時分割信号又は前記バースト調光信号に所定の傾斜を持った信号を重畳させた時分割信号を生成する時分割信号回路とを備え、前記誤差増幅器は、前記誤差信号を前記時分割信号回路からの時分割信号に応じて変化させることを特徴とする。
【００１０】
請求項２の発明は、請求項１記載の放電管点灯装置において、前記時分割信号回路は、前記時分割信号の傾斜を決定する傾斜決定コンデンサと、前記バースト調光信号が出力オフを指示するときに所定の電流で前記傾斜決定コンデンサを充電する充電回路と、前記バースト調光信号が出力オンを指示するときに所定の電流で前記傾斜決定コンデンサを放電する放電回路とを有し、前記時分割信号は、前記誤差増幅器の反転入力端子に入力されることを特徴とする。
【００１１】
請求項３の発明は、請求項１記載の放電管点灯装置において、前記時分割信号回路は、前記時分割信号の傾斜を決定する傾斜決定コンデンサと、前記バースト調光信号が出力オフを指示するときに所定の電流で前記傾斜決定コンデンサを放電する放電回路と、前記バースト調光信号が出力オンを指示するときに所定の電流で前記傾斜決定コンデンサを充電する充電回路とを有し、前記時分割信号は、前記誤差増幅器の非反転入力端子に入力されることを特徴とする。
【００１２】
請求項４の発明は、請求項１記載の放電管点灯装置において、前記誤差増幅器は、直列接続された複数の抵抗からなる分圧器により前記基準電圧を生成し、前記傾斜決定コンデンサは、前記基準電圧を生成する前記分圧器に接続され、前記傾斜作成回路は、前記バースト調光信号が出力オフを指示すると前記傾斜決定コンデンサを放電する放電回路からなることを特徴とする。
【００１３】
請求項５の発明は、請求項１記載の放電管点灯装置において、前記制御回路は、三角波発生器と、前記三角波発生器からの三角波信号と前記誤差増幅器からの誤差信号と前記時分割信号回路からの時分割信号とを比較することにより、前記各スイッチング素子をオン／オフ動作させるＰＷＭ信号を生成する比較器とを有することを特徴とする。
【発明の効果】
【００１４】
請求項１の発明によれば、時分割信号回路は、各スイッチ素子がオン／オフ動作を開始する時にバースト調光信号の変化を遅らせる時分割信号又はバースト調光信号に所定の傾斜を持った信号を重畳させた時分割信号を生成し、誤差増幅器は、誤差信号を時分割信号に応じて変化させるので、緩やかな変化に応じて誤差信号を変化させることができる。このため、バースト調光のターンオン時に、ソフトスタートを容易に実現できる。また、ソフトスタートの変化量は、バースト調光信号の傾斜によって決定されるので、誤差増幅器の応答又は制御系全体の応答を犠牲にすることなく、ソフトスタートの変化量を調整できる。
【００１５】
請求項２，３，４の発明によれば、時分割信号を誤差増幅器の入力端子に入力することにより簡単な構成で実現できる。
【００１６】
請求項５の発明によれば、比較器に時分割信号を入力しても、実施例１の効果と同様な効果が得られる。
【発明を実施するための最良の形態】
【００１７】
以下、本発明の実施の形態に係る放電管点灯装置を図面を参照しながら詳細に説明する。
【００１８】
本発明の放電管点灯装置は、バースト調光信号を時分割信号回路に入力して時分割信号を生成し、時分割信号でＰ型ＦＥＴＱｐ１とＮ型ＦＥＴＱｎ１のオン／オフ動作を開始／停止させることを特徴とする。
【実施例１】
【００１９】
図１は本発明の実施例１に係る放電管点灯装置の構成を示す回路図である。図１に示す放電灯点灯装置において、直流電源Ｖｉｎとグランドとの間には、ハイサイドのＰ型ＭＯＳＦＥＴＱｐ１（Ｐ型ＦＥＴＱｐ１と称する。）とローサイドのＮ型ＭＯＳＦＥＴＱｎ１（Ｎ型ＦＥＴＱｎ１と称する。）との直列回路が接続されている。Ｐ型ＦＥＴＱｐ１とＮ型ＦＥＴＱｎ１との接続点とグランドＧＮＤとの間には、コンデンサＣ３とトランスＴの一次巻線Ｐとの直列回路が接続され、トランスＴの二次巻線Ｓの両端にはコンデンサＣ４が接続されている。リアクトルＬｒはトランスのリーケージインダクタンスである。
【００２０】
Ｐ型ＦＥＴＱｐ１のソースに直流電源Ｖｉｎが供給され、Ｐ型ＦＥＴＱｐ１のゲートは制御回路部１のＤＲＶ１端子に接続されている。Ｎ型ＦＥＴＱｎ１のゲートは制御回路部１のＤＲＶ２端子に接続されている。
【００２１】
制御回路部１は、スタート回路１０、カレントミラー回路１１、三角波発生器１２、傾斜作成回路１３、誤差増幅器１４，１５、ＰＷＭコンパレータ１６ａ，１６ｂ、ナンド回路１７ａ、論理回路１７ｂ、ドライバ１８ａ，１８ｂを有している。
【００２２】
カレントミラー回路１１は、端子ＲＩを介して定電流決定抵抗Ｒ１の一端に接続されている。三角波発生器１２は、端子ＣＦを介してコンデンサＣ１の一端に接続されている。
【００２３】
スタート回路１０は、直流電源Ｖｉｎの電源供給を受けて所定電圧ＲＥＧを生成して内部の各部に供給している。カレントミラー回路１１は、定電流決定抵抗Ｒ１により任意に設定される定電流を流す。三角波発生器１２は、カレントミラー回路１１の定電流によりコンデンサＣ１の充放電を行い、図２に示すような三角波発振波形（図２では端子ＣＦでのコンデンサＣ１の充放電電圧を示す。）を発生させ、三角波発振波形ＣＦ（Ｃ１）に基づいてクロックＣＫを生成する。クロックＣＫは、端子ＣＦでの三角波発振波形に同期した立ち上がり期間がＨレベルで、立下り期間がＬレベルのパルス電圧波形であり、ナンド回路１７ａ及び論理回路１７ｂに送られる。
【００２４】
トランスＴの二次巻線Ｓの一端は放電管３の一方の電極に接続され、放電管３の他方の電極は管電流検出回路５に接続されている。なお、Ｌｒは前記リアクトルのリーケージインダクタンス成分を示している。管電流検出回路５は、ダイオードＤ１，Ｄ２及び抵抗Ｒ４からなり、放電管３に流れる電流を検出し、検出された電流に比例した電圧を、抵抗Ｒ３と制御回路部１のフィードバック端子ＦＢを介して誤差増幅器１５の−端子（反転入力端子）に出力する。
【００２５】
傾斜作成回路１３と傾斜決定コンデンサＣ６とは、時分割信号回路を構成し、この時分割信号回路は、バースト調光信号を入力して、Ｐ型ＦＥＴＱｐ１とＮ型ＦＥＴＱｎ１とがオン／オフ動作を開始する時に、バースト調光信号の変化を遅らせる時分割信号又はバースト調光信号に所定の傾斜を持った信号を重畳させた時分割信号を生成し、誤差増幅器１５は、時分割信号でＰ型ＦＥＴＱｐ１とＮ型ＦＥＴＱｎ１のオン／オフ動作を開始／停止させる。
【００２６】
傾斜作成回路１３は、バースト調光信号が入力されるインバータ１３０、インバータ１３０の出力にそれぞれゲートが接続されるＰ型ＦＥＴＱ１及びＮ型ＦＥＴＱ２、定電流源ＣＣ１を有し、電源ＲＥＧと接地間にＰ型ＦＥＴＱ１とＮ型ＦＥＴＱ２と定電流源ＣＣ１とが直列に接続されている。
【００２７】
Ｐ型ＦＥＴＱ１とＮ型ＦＥＴＱ２との接続点には、ＣＤＶ端子を介する傾斜決定コンデンサＣ６及びボルテージフォロアであるバッファ１４の＋端子が接続されている。バッファ１４の−端子と出力端子とが接続され、その接続点はダイオードＤ３を介して誤差増幅器１５の−端子に接続されている。
【００２８】
電源ＲＥＧと接地との間には抵抗Ｒ５と抵抗Ｒ６との直列回路が接続され、抵抗Ｒ５と抵抗Ｒ６との接続点は、誤差増幅器１５の＋端子（非反転入力端子）に接続されている。誤差増幅器１５の出力端子は、ＰＷＭコンパレータ１６ａの＋端子及びＰＷＭコンパレータ１６ｂの＋端子に接続されている。
【００２９】
ＰＷＭコンパレータ１６ａは、＋端子に入力される誤差増幅器１５からの誤差電圧ＦＢＯＵＴが−端子に入力される端子ＣＦからの三角波信号電圧以上のときにＨレベルで、誤差電圧ＦＢＯＵＴが三角波信号電圧未満のときにＬレベルとなるパルス信号を生成して、ナンド回路１７ａに出力する。
【００３０】
ＰＷＭコンパレータ１６ｂは、＋端子に入力される誤差増幅器１５からの誤差電圧ＦＢＯＵＴが−端子に入力される三角波発生器１２からの反転信号電圧以上のときにＨレベルで、誤差電圧ＦＢＯＵＴが反転信号電圧未満のときにＬレベルとなるパルス信号を生成して、論理回路１７ｂに出力する。ここで、反転信号は、三角波信号の上限値ＶＨと下限値ＶＬとの中点電位を反転した信号である。
【００３１】
ナンド回路１７ａは、三角波発生器１２からのクロックＣＫとＰＷＭコンパレータ１６ａからの信号とのナンドをとりドライバ１８ａ及び端子ＤＲＶ１を介して第１駆動信号をＰ型ＦＥＴＱｐ１に出力する。論理回路１７ｂは、三角波発生器１２からのクロックを反転した信号とＰＷＭコンパレータ１６ｂからの信号とのアンドをとりドライバ１８ｂ及び端子ＤＲＶ２を介して第２駆動信号をＮ型ＦＥＴＱｎ１に出力する。
【００３２】
ＰＷＭコンパレータ１６ａ、ナンド回路１７ａ、ドライバ１８ａは、三角波信号の半周期未満に、放電管３に流れる電流に応じたパルス幅で放電管３に電流を流すようにＰ型ＦＥＴＱｐ１を駆動する第１駆動信号を発生する。ＰＷＭコンパレータ１６ｂ、論理回路１７ｂ、ドライバ１８ｂは、第１駆動信号と略同一パルス幅で略１８０度の位相差を持ち、第１駆動信号の発生時とは逆方向に放電管３に電流を流すようにＮ型ＦＥＴＱｎ１を駆動する第２駆動信号を発生する。
【００３３】
次にこのように構成された実施例１の動作を図２に示すタイミングチャートを参照しながら説明する。
【００３４】
まず、Ｐ型ＦＥＴＱｐ１とＮ型ＦＥＴＱｎ１とが第１駆動信号及び第２駆動信号により交互にオンオフされることにより、矩形波電圧が生成されると、この矩形波電圧は、コンデンサＣ３とトランスＴの一次巻線Ｐに印加される。すると、コンデンサＣ３、トランスＴの漏れインダクタンス、及びコンデンサＣ４による共振が発生して、放電管３には正弦波状の電圧が印加される。
【００３５】
なお、図１の回路では、トランスＴの漏れインダクタンスとコンデンサＣ４による共振が支配的になるように構成されている。
【００３６】
トランスＴからの出力によりダイオードＤ１がオンするときには、ダイオードＤ１に放電管３の電流が流れる。一方、トランスＴの出力が逆になりダイオードＤ１がオフするときにはダイオードＤ２がオンして抵抗Ｒ３に放電管３の電流が流れる。このため、抵抗Ｒ３には放電管３の電流に応じた電圧、即ち電流検出信号が発生する。抵抗Ｒ４は、帰還回路のコンデンサＣ５と積分回路（平滑回路）を構成する抵抗である。
【００３７】
誤差増幅器１５の−端子には、ＦＢ端子から電流検出回路５の電流検出信号に応じた電圧が入力され、＋端子には、電源ＲＥＧを抵抗Ｒ１と抵抗Ｒ２とで分圧した電圧ＶＲＥＦが入力され、誤差増幅器１５により誤差電圧が増幅されて、誤差信号が出力される。
【００３８】
また、所定周期のクロックＣＫとクロックＣＫがＨレベルのとき徐々に上昇しクロックＣＫがＬレベルのとき徐々に低下する三角波信号ＣＦ（Ｃ１）及びＣＦ（Ｃ１）の反転出力であるＣＦ（Ｃ１’）が、三角波発生器１２から出力される。三角波信号の傾斜は、コンデンサＣｌと三角波発生器１２から端子ＣＦに出力される電流によって決定される。
【００３９】
誤差増幅器１５からの誤差信号は、ＰＷＭコンパレータ１６ａ，１６ｂの＋端子に入力され、ＰＷＭコンパレータ１６ａの−端子には三角波発生器１２からの三角波信号ＣＦ（Ｃ１）が入力され、ＰＷＭコンパレータ１６ｂの−端子には三角波信号ＣＦ（Ｃ１）を反転したＣＦ（Ｃ１’）が入力される。ＰＷＭコンパレータ１６ａ，１６ｂにより誤差信号と三角波信号が比較され、誤差信号に応じたパルス幅のＰＷＭ信号ＣＯＭＰ１６ａ，１６ｂが出力される。
【００４０】
次に、ＰＷＭコンパレータ１６ａの出力は、ナンド回路１７ａの一方の入力端子に入力され、ナンド回路１７ａの他方の入力端子には三角波発生器１２のクロックＣＫが入力される。ナンド回路１７ａは、クロックＣＫがＨレベルのときＰＷＭコンパレータ１６ａの信号をナンド信号ＮＡＮＤ１７ａとして出力し、ドライバ１８ａを介してＰ型ＦＥＴＱｐ１を駆動する。
【００４１】
ＰＷＭコンパレータ１６ｂの出力は、論理回路１７ｂの一方の入力端子に入力され、論理回路１７ｂの他方の入力端子に三角波発生器１２のクロックＣＫを反転した信号が入力される。論理回路１７ｂは、クロックＣＫがＬレベルのとき、ＰＷＭコンパレータ１６ｂの信号を信号ＮＡＮＤ１７ｂとして出力し、ドライバ１８ｂを介してＮ型ＦＥＴＱｎ１を駆動する。
【００４２】
このため、Ｐ型ＦＥＴＱｐ１とＮ型ＦＥＴＱｎ１とは、電流検出回路５の検出信号に応じて交互にオン／オフする。例えば放電管３に流れる電流が大きくなると、抵抗Ｒ３に発生する電流検出信号が大きくなり、誤差増幅器１５の出力が小さくなる。
【００４３】
すると、Ｐ型ＦＥＴＱｐ１とＮ型ＦＥＴＱｎ１の出力するパルス幅が狭くなり、Ｐ型ＦＥＴＱｐ１とＮ型ＦＥＴＱｎ１のオン期間が短くなる。このため、トランスＴの二次側に伝達されるエネルギが減り、放電管３に流れる電流を減らす。逆に、電流検出信号が小さい場合には、Ｐ型ＦＥＴＱｐ１とＮ型ＦＥＴＱｎ１のオン期間を広くして、放電管３に流れる電流を増やす。このようにして、放電管３に流れる電流を調整する。
【００４４】
次に、傾斜作成回路１３のインバータ１３０は、入力されたバースト調光信号を反転して反転信号を出力する。バースト調光信号がＨレベルになると、インバータ１３０の出力はＬレベルになり、Ｐ型ＦＥＴＱ１はオンし、Ｎ型ＦＥＴＱ２はオフする。
【００４５】
このため、傾斜決定コンデンサＣ６は、直ちにＨレベルまで充電され、バッファ１４の出力はＨレベルになる。誤差増幅器１５は−端子がＨレベルになるので、出力はＬレベルに維持され、ＰＷＭコンパレータ１６ａ，１６ｂはパルスを出力しない。即ち、Ｐ型ＦＥＴＱｐ１とＮ型ＦＥＴＱｎ１とが停止し、放電管３は点灯しない。
【００４６】
一方、バースト調光信号がＬレベルになると、傾斜作成回路１３のインバータ１３０の出力はＨレベルになり、Ｐ型ＦＥＴＱ１はオフし、Ｎ型ＦＥＴＱ２はオンする。
【００４７】
このため、傾斜決定コンデンサＣ６に蓄積された電荷は、Ｎ型ＦＥＴＱ２を介して定電流源ＣＣ１に流れて放電し、傾斜決定コンデンサＣ６の電圧は所定の傾斜を持って徐々に低下する。
【００４８】
バッファ１４の出力も徐々に低下するので、誤差増幅器１５の出力は徐々に上昇し、ＰＷＭコンパレータ１６ａ，１６ｂは、徐々に広くなるＰＷＭ信号を出力し、Ｐ型ＦＥＴＱｐ１とＮ型ＦＥＴＱｎ１とは、徐々に広くなるオン期間でオン／オフを開始する。このため、放電管３の管電流は徐々に増加する。
【００４９】
バッファ１４の出力が抵抗Ｒ３からの電流検出信号より小さくなると、ダイオードＤ３はオフし、電流検出信号のみが誤差増幅器１５の−端子に入力される。このため、電流検出信号が誤差増幅器１５の＋端子に入力される電圧ＶＲＥＦと略同じになるように制御され、放電管３の電流が一定に制御される。
【００５０】
このように実施例１によれば、時分割信号回路は、Ｐ型ＦＥＴＱｐ１とＮ型ＦＥＴＱｎ１とがオン／オフ動作を開始する時にバースト調光信号の変化を遅らせる時分割信号又はバースト調光信号に所定の傾斜を持った信号を重畳させた時分割信号を生成し、誤差増幅器１５は、誤差信号を時分割信号に応じて変化させるので、緩やかな変化に応じて誤差信号を変化させることができる。このため、バースト調光のターンオン時に、ソフトスタートを容易に実現できる。また、ソフトスタートの変化量は、バースト調光信号の傾斜によって決定されるので、誤差増幅器の応答又は制御系全体の応答を犠牲にすることなく、ソフトスタートの変化量を調整できる。
【実施例２】
【００５１】
図３は本発明の実施例２に係る放電管点灯装置の構成を示す回路図である。実施例２は、傾斜作成回路１３ａは、インバータ１３０、Ｐ型ＦＥＴＱ１及びＮ型ＦＥＴＱ２、定電流源ＣＣ１を有し、電源ＲＥＧとＰ型ＦＥＴＱ１との間に定電流源ＣＣ１が設けられている。
【００５２】
Ｐ型ＦＥＴＱ１とＮ型ＦＥＴＱ２との接続点には、ＣＤＶ端子を介する傾斜決定コンデンサＣ６及びボルテージフォロアであるバッファ１４ａの＋端子が接続されている。バッファ１４ａの−端子と出力端子とが接続され、その接続点はダイオードＤ３を介して誤差増幅器１５の＋端子に接続されている。抵抗Ｒ５と抵抗Ｒ６との接続点は、誤差増幅器１５の＋端子に接続されている。
【００５３】
即ち、誤差増幅器１５の＋端子に入力される電圧ＶＲＥＦと時分割信号を合成し、バースト調光のオン時にソフトスタートを行うものである。ダイオードＤ３の接続は図１の接続に対して逆になる。
【００５４】
なお、時分割信号以外は図１の実施例１と同じ動作をするので、ここでは、時分割信号以外の動作は省略する。
【００５５】
まず、バースト調光信号がＬレベルのとき、インバータ１３０の出力はＨレベルになり、Ｐ型ＦＥＴＱ１はオフし、Ｎ型ＦＥＴＱ２はオンする。傾斜決定コンデンサＣ６は、直ちに放電しＬレベルになる。バッファ１４ａの入力はＬレベルであるので、バッファ１４ａの出力もＬレベルになり、ダイオードＤ３がオンし、電圧ＶＲＥＦをＬレベルにする。このため、誤差増幅器１５の＋端子もＬレベルになり、放電管３の電流をゼロにする。
【００５６】
一方、バースト調光信号がＨレベルになると、インバータ１３０の出力はＬレベルになり、Ｐ型ＦＥＴＱ１はオンし、Ｎ型ＦＥＴＱ２はオフする。このため、定電流源ＣＣ１により、所定の電流で傾斜決定コンデンサＣ６が充電され、傾斜決定コンデンサＣ６の電圧は徐々に上昇する。バッファ１４ａの出力が徐々に上昇するので、電圧ＶＲＥＦが徐々に上昇する。このため、誤差増幅器１５の出力は徐々に上昇し、ＰＷＭコンパレータ１６ａ，１６ｂは、徐々に増加するＰＷＭ信号を出力する。
【００５７】
Ｐ型ＦＥＴＱ１，Ｎ型ＦＥＴＱ２は、徐々にオン期間を増加しながらオン／オフを開始するので、放電管３の電流は徐々に増加する。バッファ１４ａの出力が、電圧ＶＲＥＦ以上になると、ダイオードＤ３はオフし、制御回路部１ａは、電流検出信号が電圧ＶＲＥＦになるように、放電管３の電流を制御する。
【００５８】
このように、実施例２によっても実施例１の動作と同様に動作するので、バースト調光の間欠動作の開始時に放電管３の電流を徐々に増加するソフトスタートを行うことができる。
【実施例３】
【００５９】
図４は本発明の実施例３に係る放電管点灯装置の構成を示す回路図である。図４に示す実施例３では、傾斜決定コンデンサＣ６が抵抗Ｒ６に並列に接続されている。Ｎ型ＦＥＴＱ３は、バースト調光信号をゲートに入力し、ドレインをダイオードＤ３を介して抵抗Ｒ５と抵抗Ｒ６との接続点に接続している。
【００６０】
このような構成によれば、バースト調光信号がＨレベルのとき、Ｎ型ＦＥＴＱ３は、オンし、ダイオードＤ３を介して傾斜決定コンデンサＣ６を短絡するので、瞬時に誤差増幅器１５の＋端子は略ゼロになる。このため、誤差増幅器１５の−端子もＬレベルになり、放電管３の電流をゼロにする。
【００６１】
バースト調光信号がＬレベルになると、Ｎ型ＦＥＴＱ３は、オフし、傾斜決定コンデンサＣ６は、抵抗Ｒ５を介して充電され、誤差増幅器１５の＋端子は徐々に上昇する。すると、誤差増幅器１５の出力は徐々に上昇し、ＰＷＭコンパレータ１６ａ，１６ｂは、徐々に増加するＰＷＭ信号を出力する。
【００６２】
Ｐ型ＦＥＴＱ１，Ｎ型ＦＥＴＱ２は、徐々にオン期間を増加しながらオン／オフを開始するので、放電管３の電流は徐々に増加する。誤差増幅器１５の＋端子が電圧ＶＲＥＦに達すると、その電圧で一定になる。制御回路部１ａは、電流検出信号が電圧ＶＲＥＦになるように、放電管３の電流を制御する。
【００６３】
このように、実施例３によっても実施例１の効果と同様な効果が得られる。
【実施例４】
【００６４】
図５は本発明の実施例４に係る放電管点灯装置の構成を示す回路図である。実施例４では、図２に示す実施例２の時分割信号回路１３ａを用いるとともに、ＰＷＭコンパレータ１６ｃ，１６ｄを用いたことを特徴とする。
【００６５】
ＰＷＭコンパレータ１６ｃは、三角波発生器１２からの三角波信号ＣＦ（Ｃ１）と誤差増幅器１５からの誤差信号と時分割信号回路からの時分割信号とを比較することにより、Ｐ型ＦＥＴＱｐ１とＮ型ＦＥＴＱｎ１をオン／オフ動作させるＰＷＭ信号を生成する。
【００６６】
ＰＷＭコンパレータ１６ｄは、三角波発生器１２からの三角波信号ＣＦ（Ｃ１）を反転した反転信号ＣＦ（Ｃ１’）と誤差増幅器１５からの誤差信号と時分割信号回路からの時分割信号とを比較することにより、Ｐ型ＦＥＴＱｐ１とＮ型ＦＥＴＱｎ１をオン／オフ動作させるＰＷＭ信号を生成する。
【００６７】
このような構成によれば、時分割信号がＬレベルのときは、ＰＷＭコンパレータ１６ｃ，１６ｄは出力せず、Ｐ型ＦＥＴＱｐ１とＮ型ＦＥＴＱｎ１は動作を停止する。
【００６８】
時分割信号が徐々に増加すると、ＰＷＭコンパレータ１６ｃ，１６ｄは、時分割信号と三角波信号とを比較し、徐々に広がるＰＷＭ信号を出力する。
【００６９】
Ｐ型ＦＥＴＱｐ１とＮ型ＦＥＴＱｎ１は、徐々にオン期間を広げながらオン／オフを開始する。時分割信号が誤差信号より大きくなると、誤差信号と三角波信号との比較によるＰＷＭ信号が出力される。そして、このＰＷＭ信号により、誤差増幅器１５の＋端子に入力される電圧ＶＲＥＦで決定される電流に、放電管３の電流が所定の電流に制御される。
【００７０】
このように実施例１乃至実施例４では、２つのスイッチング素子Ｑｐ１，Ｑｎ１をオン／オフし、トランスＴの漏れインダクタンスを含む二次側の共振回路９で共振させて交流を出力する方式のインバータを使用したが、本発明はこれに限定されるものではない。例えば、スイッチング素子を４つ使用したフルブリッジ方式、又はスイッチング素子を２つ使用したセンタタップ方式としても良い。共振コンデンサＣ４はトランスＴの１次側にあっても良い。
【００７１】
このように実施例１乃至４の放電管点灯装置によれば、時分割信号の傾斜を、放電管３に流れる電流を一定に制御するフィードバック制御ループ系の応答とは独立して設定できる時分割信号回路を有し、バースト調光のターンオン時のソフトスタートの傾斜の設定に制限されることなく、フィードバック制御ループ系の応答を充分に速くすることにより、負荷急変時の出力制御が速やかに行なえる。また、バースト調光のターンオン時には、負荷への電力供給量を緩やかに増やしていくソフトスタート動作から電力供給を開始するバースト調光を行なう放電管点灯装置を提供できる。
【００７２】
これにより、制御ループ系の応答が速ければ速いほど望ましい、入力急変があるノート型パソコンや、入力のＡＣリップルの一部を含むパッシブ型力率改善回路ＰＦＣの出力を、ＤＣ−ＤＣコンバータを介さずに、そのままスイッチングして交流変換を行なうタイプのインバータなどのバースト調光を最適に行なうことができる。
【図面の簡単な説明】
【００７３】
【図１】本発明の実施例１に係る放電管点灯装置の構成を示す回路図である。
【図２】図１に示す実施例１の放電管点灯装置のバースト調光の動作波形を示す図である。
【図３】本発明の実施例２に係る放電管点灯装置の構成を示す回路図である。
【図４】本発明の実施例３に係る放電管点灯装置の構成を示す回路図である。
【図５】本発明の実施例４に係る放電管点灯装置の構成を示す回路図である。
【符号の説明】
【００７４】
Ｔ  トランス
１，１ａ〜１ｃ  制御回路部
３  放電管
１０  スタート回路
１１  カレントミラー回路
１２  三角波発生器
１３，１３ａ  傾斜作成回路
１４，１４ａ  バッファ
１５  誤差増幅器
１６ａ，１６ｂ  ＰＷＭコンパレータ
１８ａ，１８ｂ  ドライバ
Ｑｐ１，Ｑ１  Ｐ型ＦＥＴ
Ｑｎ１，Ｑ２，Ｑ３  Ｎ型ＦＥＴ
Ｒ１  定電流決定抵抗
Ｃ１，Ｃ３，Ｃ４，Ｃ５  コンデンサ
Ｃ６  傾斜決定コンデンサ
ＣＣ１  定電流源
Ｄ１〜Ｄ３    ダイオード
【図１】
2009123660.tif 000003
【図２】
2009123660.tif 000004
【図３】
2009123660.tif 000005
【図４】
2009123660.tif 000006
【図５】
2009123660.tif 000007